(57)【特許請求の範囲】
【請求項１】
電池収納用の空間に電池を収納できる撮像装置であって、
撮像用のレンズを取り付けることができるレンズマウント部と、
前記電池収納用の空間の所定の位置に前記電池が挿入された状態で、当該電池が前記電池収納用の空間から抜けることを制限する電池ロック部と、
を有し、
前記レンズマウント部は、撮像用のレンズを取り付けることができるレンズ取り付け部と、前記レンズ取り付け部を保持するための保持部によって構成され、
前記保持部は、第１の熱伝導率の部材で成形され、
前記電池収納用の空間は、当該第１の熱伝導率の部材で成形された前記保持部と、前記第１の熱伝導率よりも小さい第２の熱伝導率の部材で成形されたグリップ部で形成され、
前記電池ロック部は、前記電池が前記電池収納用の空間の所定の位置に挿入された状態で、前記電池収納用の空間を形成する前記保持部に向けて前記電池を付勢して、前記電池を前記保持部に接触させることを特徴とする撮像装置。
【請求項２】
前記レンズマウント部は、前記撮像用のレンズを前記撮像装置に取り付けた際の光軸方向において、前記電池収納用の空間の少なくとも一部と重畳するように配置されていることを特徴とする請求項１に記載の撮像装置。
【請求項３】
前記レンズ取り付け部は、前記第２の熱伝導率よりも大きい第３の熱伝導率の部材で成形されていることを特徴とする請求項１又は２に記載の撮像装置。
【請求項４】
前記保持部は、前記撮像用のレンズを前記撮像装置に取り付けた際の光軸方向において、前記電池収納用の空間と重畳しない位置に前記レンズ取り付け部をビス止めするためのビス座が穿設されていることを特徴とする請求項１乃至３の何れか一項に記載の撮像装置。
【請求項５】
前記保持部は、前記撮像用のレンズを前記撮像装置に取り付けた際の光軸方向において、前記電池収納用の空間と重畳しない位置に、前記撮像用のレンズとの電気的な接続ができる電気接点が設けられていることを特徴とする請求項１乃至４の何れか一項に記載の撮像装置。
【請求項６】
前記保持部は、前記撮像用のレンズを前記撮像装置に取り付けた際の光軸方向において、前記電池収納用の空間と重畳しない位置に、前記撮像用のレンズの取り外しを制限する第１の制限部が設けられていることを特徴とする請求項１乃至５の何れか一項に記載の撮像装置。
【請求項７】
被写体の光学像を光電変換することができる撮像素子を含むセンサーユニットを有し、前記センサーユニットは、前記第１の熱伝導率よりも小さい第４の熱伝導率の部材によって成形され、
前記保持部は、前記センサーユニットと接触していることを特徴とする請求項１乃至６の何れか一項に記載の撮像装置。
【請求項８】
前記撮像素子を遮蔽する動作をおこなうシャッターを含むシャッターユニットを有し、前記シャッターユニットは、前記第１の熱伝導率よりも小さい第５の熱伝導率の部材によって成形され、
前記保持部は、前記シャッターユニットと接触していることを特徴とする請求項７に記載の撮像装置。
【発明の詳細な説明】
【技術分野】
【０００１】
本発明は、電池で発生した熱を撮像装置の外部に逃がすことができる撮像装置に関する。
【背景技術】
【０００２】
従来、撮像装置内部の発熱部からの熱を、撮像装置の外部に逃がす技術が知られている。特許文献１は、固体撮像素子で発生した熱を、複数の複数の部材を介して、撮像装置の外装に熱的に接触している電池ケースに逃がすことで、固体撮像素子で発生した熱を撮像装置の外部に放出することについて提案されている。
【先行技術文献】
【特許文献】
【０００３】
【特許文献１】特開２００３−４６８２８号公報
【発明の概要】
【発明が解決しようとする課題】
【０００４】
ここで、近年は、撮像装置の高性能化に伴い、撮像装置内部における処理量が以前よりも増加傾向にある。撮像装置内部における処理量が増加することで、各種の処理に必要となる電力の消費も増加するため、電池自身の発熱量も増加する傾向にある。
【０００５】
しかしながら、特許文献１では、ユーザが撮像装置を把持するためのグリップ部の内部に電池ケースが設けられているため、電池からの発熱によって当該グリップ部の温度が上昇してしまう。この場合、グリップ部の温度が上昇することで、ユーザが当該グリップ部を把持する際に、ユーザに対して不快感を与えてしまう。
【０００６】
本発明の目的は、撮像装置の外装部分の一部の温度が上昇することを抑制しつつ、撮像装置内部で発生した熱を撮像装置外部へと逃がすことである。
【課題を解決するための手段】
【０００７】
上記目的を達成するために本発明は、電池収納用の空間に電池を収納できる撮像装置であって、
撮像用のレンズを取り付けることができるレンズマウント部と、
前記電池収納用の空間の所定の位置に前記電池が挿入された状態で、当該電池が前記電池収納用の空間から抜けることを制限する電池ロック部と、
を有し、
前記レンズマウント部は、撮像用のレンズを取り付けることができるレンズ取り付け部と、前記レンズ取り付け部を保持するための保持部によって構成され、
前記保持部は、第１の熱伝導率の部材で成形され、
前記電池収納用の空間は、当該第１の熱伝導率の部材で成形された前記保持部と、前記第１の熱伝導率よりも小さい第２の熱伝導率の部材で成形されたグリップ部で形成され、
前記電池ロック部は、前記電池が前記電池収納用の空間の所定の位置に挿入された状態で、前記電池収納用の空間を形成する前記保持部に向けて前記電池を付勢して、前記電池を前記保持部に接触させることを特徴とする。
【発明の効果】
【０００８】
本発明によれば、撮像装置の外装部分の一部の温度が上昇することを抑制しつつ、撮像装置内部で発生した熱を撮像装置外部へと逃がすことができる。
【図面の簡単な説明】
【０００９】
【図１】本発明を実施した撮像装置の実施形態であるデジタルカメラ１００の外観斜視図である。
【図２】本発明を実施した撮像装置の実施形態であるデジタルカメラ１００を下面方向から見た分解斜視図である。
【図３】本発明を実施した撮像装置の実施形態であるデジタルカメラ１００を背面側から見た分解斜視図である。
【図４】本発明を実施した撮像装置の実施形態であるデジタルカメラ１００のマウント保持部１４および電池８周辺の断面図である。
【図５】本発明を実施した撮像装置の実施形態であるデジタルカメラ１００のマウント保持部１４およびセンサーユニット１６周辺の断面図である。
【図６】本発明を実施する撮像装置の実施形態であるデジタルカメラ１００の電池ロックレバー１１周辺の断面図である。
【図７】本発明を実施した撮像装置の実施形態であるデジタルカメラ１００の要部正面図である。
【発明を実施するための形態】
【００１０】
（実施形態）
本発明に係る実施形態としての撮像装置であるデジタルカメラ（以下、単にカメラと称す）１００について図１〜図７を参照して説明する。以下、図１を参照してカメラ１００の基本構成について説明する。図１は、本発明を実施した撮像装置の実施形態であるカメラ１００の外観斜視図である。図１（ａ）は、カメラ１００を正面方向から見た外観斜視図である。図１（ｂ）は、カメラ１００を背面および底面方向から見た外観斜視図である。以下の説明では、カメラ１００において、後述するレンズマウント７が配設されている側を正面側とし、後述する表示部１２が配設されている側を背面側とする。また、カメラ１００において、後述するレリーズボタン１が設けられている側を上面側とし、後述する電池８が挿入できる側を下面側とする。
【００１１】
図１に図示するように、レリーズボタン１は、被写体の撮像準備および撮像開始を指示するための指示部である。ユーザは、レリーズボタン１をＳＷ１状態（例えば、半押し）することで、被写体の撮像準備を指示することができる。また、ユーザは、レリーズボタン１をＳＷ２状態（例えば、全押し）することで、被写体の撮像開始を指示することができる。なお、上述した撮像開始は、撮像素子による露光の開始を意味している。
【００１２】
電源ボタン２は、カメラ１００の電源のオンまたはオフを指示する指示部である。カメラ１００の電源がオンされた状態において、後述する電池８からカメラ１００の各部に電力が供給される。
【００１３】
露出補正ダイヤル３は、露出補正量を設定するための設定部である。ユーザは、露出補正ダイヤル３を操作することによって、被写体を撮像する際の露出補正量を設定することができる。なお、露出補正量は、被写体を撮像して取得する画像データの明るさに関する値であって、絞り値、シャッター速度、ゲイン量などを変更することによって変化する。
【００１４】
モードダイヤル４は、撮影モードを設定することができるモード設定部である。メインダイヤル５は、モードダイヤル４によって設定された撮影モードに基づいて、絞り値やシャッター速度、ゲイン量の調節をおこなう調節部である。
【００１５】
ストロボユニット６は、内蔵ストロボを含む発光ユニットである。当該内蔵ストロボを発光することで被写体を照明することができる。内蔵ストロボは、カメラ１００の外装部分から突出した位置（発光位置）と、カメラ１００の外装部分よりも内部に収納された位置（非発光位置）との間を移動できる。内蔵ストロボは、発光位置に位置する状態で発光ができる。
【００１６】
レンズマウント７は、撮像用のレンズ（不図示）を取り付けるためのレンズ取り付け部である。レンズマウント７に撮像用のレンズが取り付けられた状態で、当該撮像用のレンズによって導かれた被写体の光学像を、撮像素子上に結像させることができる。
【００１７】
電池８は、カメラ１００の各部に電力を供給するための電源部である。本実施形態では、電池８として、ＮｉＣｄ電池やＮｉＭＨ電池、Ｌｉ電池等の二次電池などを採用する構成である。なお、電池８として、アルカリ電池などの一次電池を採用する構成でもよい。
【００１８】
電池８は、後述する電池収納室１０に挿抜できる構成であって、電池８が電池収納室１０の所定の位置（以下、装着位置と称す）に挿入された状態で、カメラ１００の各部に電力を供給することができる。
【００１９】
電池蓋９は、電池８の排出方向を覆うカバー部である。電池蓋９はカメラ１００の本体部分に対してスライドおよび回動可能に設けられている。電池蓋９は、電池８が電池収納室１０の装着位置に挿入された状態で開閉が可能である。そして、電池蓋９が閉じられた状態で、電池８の排出が制限される。
【００２０】
電池収納室１０は、カメラ１００の内部で電池８を収納（保持）するための電池収納用の空間である。電池収納室１０の内壁部分は、後述する電池収納用部材１０ａとマウント保持部１４を成形する部材の一部によって形成される空間である。この詳細については後述する。なお、データの書き込みおよび読み出しができる記録媒体を挿抜できる挿入口（不図示）が、電池収納室１０に併設されている。
【００２１】
電池ロックレバー１１は、電池８の移動を制限する制限部（第２の制限部）である。すなわち、電池ロックレバー１１は、電池８が電池収納室１０の装着位置に挿入された状態で、電池８が電池収納室１０から抜けることを制限する。なお、電池ロックレバー１１は、電池８が電池収納室１０の装着位置に挿入された状態で、マウント保持部１４よって構成されている電池収納室１０の内壁部分に電池８を付勢する付勢部材でもある。
【００２２】
表示部１２は、取得した画像データを表示する、ＴＦＴ型ＬＣＤ（薄膜トランジスタ駆動型液晶表示器）などで構成された表示部である。また、表示部１２は、取得した画像データ以外に、撮像時の条件などの各種の情報を表示することもできる。
【００２３】
サブダイヤル１３は、モードダイヤル４によって設定された撮影モードに基づいて、絞り値やシャッター速度、ゲイン量の調節ができる調節部である。また、サブダイヤル１３は、内蔵ストロボの発光の要否や、連続撮像の有無、撮像のタイミングなどを設定することができる。なお、前述したメインダイヤル５で設定できる項目と、サブダイヤル１３で設定できる項目とが共通しているような構成であってもよいし、それぞれ異なる項目を設定できるような構成であってもよい。以上が、カメラ１００の基本的な構成である。
【００２４】
以下、図２、３を参照してカメラ１００の内部構成について説明する。図２は、本発明を実施した撮像装置の実施形態であるカメラ１００を下面方向から見た分解斜視図である。図３は、本発明を実施した撮像装置の実施形態であるカメラ１００を背面側から見た分解斜視図である。
【００２５】
マウント保持部１４は、前述したレンズマウント７を保持するための保持部である。図２、３に図示するように、レンズマウント７を取り付けるためのビス止め用のビス座１９が、マウント保持部１４に穿設されている。本実施形態では、マウント保持部１４に４つのビス座１９が設けられている。
【００２６】
また、レンズマウント７には、ビス座１９に対応した位置に穴部が穿設されている。レンズマウント７の穴部を貫通したビスはビス座１９に諦着（ビス止め）される。この状態で、レンズマウント７はマウント保持部１４に保持される。
【００２７】
また、マウント保持部１４には、撮像用のレンズと通信をおこなうための電気接点２１が設けられている。マウント保持部１４の電気接点２１と、撮像用のレンズに設けられた電気接点（不図示）とが電気的に接続することで、カメラ１００側から撮像用のレンズに電力を供給することができる。また、電気接点２１と撮像用のレンズに設けられた電気接点とが電気的に接続した状態で、カメラ１００と撮像用のレンズとの間で通信ができる。
【００２８】
図２、図３に図示するように、電池収納用部材１０ａには、切り欠き部１０ｂに合わせてマウント保持部１４が配置されている。この状態で、電池収納用部材１０ａとマウント保持部１４を成形する部材の一部によって電池収納室１０が形成される。すなわち、電池収納室１０の内壁部分は、電池収納用部材１０ａとマウント保持部１４を成形する部材によって形成されている。
【００２９】
また、図２、図３に図示するように、マウント保持部１４は、カメラ１００内の略中心に配置されている。そして、マウント保持部１４は、カメラ１００の内部を構成する各部と接続または接触している。この構成によって、カメラ１００の内部を構成する各部は、マウント保持部１４を基準としてカメラ１００内における位置決めがされる。
【００３０】
シャッターユニット１５は、撮像素子の遮蔽と開放を機械的な動作によっておこなうシャッターおよび、当該シャッターを駆動するためのシャッター駆動部によって構成されているシャッターユニットである。
【００３１】
センサーユニット１６は、被写体の光学像を光電変換できるＣＣＤやＣＭＯＳなどの電荷蓄積型の撮像素子と、当該撮像素子を動作するための動作回路によって構成されているユニットである。本実施形態では、センサーユニット１６と前述したシャッターユニット１５の駆動および動作を制御することで、被写体を撮像して取得する画像データの露光時間（蓄積時間）を制御することができる。
【００３２】
メイン基板１７は、カメラ１００の動作を統括的に制御するシステム制御部（不図示）など、カメラ１００の駆動および動作に必要な電機部品が実装された回路基板である。
【００３３】
図３に図示するように、シャッターユニット１５は、ストロボユニット６およびセンサーユニット１６と接触している。また、図２に図示するように、上述した各ユニットは、フレキシブル基板２２を介してメイン基板１７と電気的に接続される。ストロボユニット６、シャッターユニット１５、センサーユニット１６の駆動および動作は、メイン基板１７に実装されたシステム制御部によって制御される。
【００３４】
なお、フレキシブル基板２２はマウント保持部１４に設けられた電気接点２１とも接続されている。撮像用のレンズがカメラ１００に取り付けられた場合は、当該撮像用のレンズから取得した情報が、フレキシブル基板２２を介してシステム制御部に出力される。
【００３５】
レンズロックピン２０は、撮像用のレンズの回転移動（取り外し）を制限するための突出部を有する制限部（第１の制限部）である。図２に図示するように、レンズロックピン２０はレンズマウント７とマウント保持部１４の間に挟まれるように配置されている。撮像用のレンズをレンズマウント７に付き合わせた状態で所定の位置まで回転させると、レンズロックピン２０の突出部が撮像用のレンズ側の所定の穴部と嵌合する。この状態で、撮像用のレンズがカメラ１００に取り付けられる。
【００３６】
なお、カメラ１００の外装に設けられたロック解除ボタンを押圧することに応じて、カメラ１００の厚み方向において、レンズロックピン２０の突出部が所定の位置まで降下（退避）する。レンズロックピン２０の突出部が当該所定の位置まで降下することで、カメラ１００に対する撮像用のレンズの取り付け状態が解除される。以上説明した構成によって、撮像用のレンズがカメラ１００から脱落することを防止することができる。なお、上述したカメラ１００の厚み方向とは、撮像用のレンズをカメラ１００に取り付けた際の当該撮像用のレンズの光軸方向である。
【００３７】
以下、カメラ１００内において、マウント保持部１４と接触しているカメラ１００内の各部の詳細について図４〜図７を参照して説明する。図４は、本発明を実施した撮像装置の実施形態であるカメラ１００のマウント保持部１４および電池８周辺の断面図である。図４（ｂ）は、図４（ａ）に図示したカメラ１００のＡ−Ａ′断面を示す断面図である。
【００３８】
前述したように、マウント保持部１４を成形する部材の一部と電池収納用部材１０ａによって、電池収納室１０が形成されている。具体的には、図４（ｂ）に図示する破線で囲った位置において、マウント保持部１４の一部が電池収納室１０の一部を形成している。ここで、当該位置では、電池８とマウント保持部１４との間に介在する他の部材は存在しない。
【００３９】
なお、マウント保持部１４を成形する部材の熱伝導率（第１の熱伝導率）κ１は、電池収納用部材１０ａの熱伝導率（第２の熱伝導率）κ２よりも大きい（κ１＞κ２）。したがって、電池８で発生した熱は、電池収納用部材１０ａよりもマウント保持部１４に伝達し易い。すなわち、本実施形態では、電池８の発熱をカメラ１００のマウント保持部１４に積極的に伝達するために、電池収納室１０の一部をマウント保持部１４の一部によって形成している。この構成によって、カメラ１００の外装部分のうち、電池８を内包する部分（例えば、カメラ１００のグリップ部分）の温度が上昇することを抑制することができる。
【００４０】
なお、上記の条件を満たすために、例えば、マウント保持部１４を成形する材料をマグネダイカスト、電池収納用部材１０ａを成形する材料をポリカーボネートとすればよい。この他にも、κ１＞κ２を満たすような材料であれば、マウント保持部１４および電池収納用部材１０ａはどのようなものを用いてもよい。
【００４１】
また、レンズマウント７を成形する部材の熱伝導率（第３の熱伝導率）κ３は、電池収納用部材１０ａの熱伝導率（第２の熱伝導率）κ２よりも大きい（κ３＞κ２）。したがって、電池８からマウント保持部１４へと伝達した熱は、電池収納用部材１０ａよりもレンズマウント７へと伝達し易い。
【００４２】
前述したように、マウント保持部１４は、カメラ１００内の位置決めの基準となる部材である。したがって、各発熱部で生じた熱は、カメラ１００のマウント保持部１４を介してカメラ１００の全体に分散される。そして、カメラ１００の全体に分散された熱は、カメラ１００の外装部分を介してカメラ１００の外部へと逃がすことができる。
【００４３】
この構成によって、電池８で生じた熱を、カメラ１００の全体へと分散させ、カメラ１００の外部へと逃がすことができる。したがって、カメラ１００の外装部分の表面温度を、ユーザが不快に感じない程度の温度に維持することができる。
【００４４】
以上説明したように、本実施形態のカメラ１００は、放熱用に新たな部材を設けることなく、電池８で発生した熱をカメラ１００の外部へと逃がすことができる。また、本実施形態のカメラ１００は、カメラ１００の外装部分の一部の温度だけが上昇することを抑制することができる。
【００４５】
図５は、本発明を実施した撮像装置の実施形態であるカメラ１００のマウント保持部１４およびセンサーユニット１６周辺の断面図である。図５（ｂ）は、図５（ａ）に図示したカメラ１００のＢ−Ｂ′断面を示す断面図である。
【００４６】
センサーユニット１６は爪部を有している。図５（ｂ）に図示するように、破線で囲った位置において、センサーユニット１６の爪部がマウント保持部１４の所定の位置と咬合（接触）する。センサーユニット１６の大部分を成形する部材の熱伝導率（第４の熱伝導率）κ４は、前述したマウント保持部１４を成形する部材の熱伝導率（第１の熱伝導率）κ１よりも小さい（κ１＞κ４）。したがって、センサーユニット１６で発生した熱は、積極的にマウント保持部１４に伝達される。なお、センサーユニット１６の主な発熱源は、撮像素子および当該撮像素子の駆動回路である。
【００４７】
図２、図３および図５（ｂ）に図示するように、シャッターユニット１５はマウント保持部１４と接触した状態でカメラ１００内に配設される。シャッターユニット１５の大部分を成形する部材の熱伝導率（第５の熱伝導率）κ５は、前述したマウント保持部１４を成形する部材の熱伝導率（第１の熱伝導率）κ１よりも小さい（κ１＞κ５）。したがって、シャッターユニット１５で発生した熱は、積極的にマウント保持部１４へと伝達される。なお、シャッターユニット１５の主な発熱源は、シャッターなどを駆動するための駆動部（例えば、モーターなど）である。
【００４８】
なお、前述したように、センサーユニット１６はシャッターユニット１５と接触しているので、センサーユニット１６とシャッターユニット１５との間でも熱の伝達が行われる。例えば、センサーユニット１６の発熱はシャッターユニット１５に伝達された後にマウント保持部１４へと伝達される。すなわち、シャッターユニット１５やセンサーユニット１６で発生した熱は、直接的または間接的にマウント保持部１４へと伝達される。
【００４９】
以上説明したように、本実施形態のカメラ１００は、発熱を伴う部分（以下、発熱部と称す）がマウント保持部１４と接触している。そして、マウント保持部１４を成形する部材の熱伝導率は、上述した各発熱部を成形する部材の熱伝導率よりも大きい。この構成によって、各発熱部で発生した熱は、マウント保持部１４に積極的に伝達される。
【００５０】
そして、カメラ１００の発熱部で発生した熱を、マウント保持部１４を介してカメラ１００の全体に分散させることで、当該熱をカメラ１００の外部へと逃がすことができる。この構成によって、本実施形態のカメラ１００は、外装部分の一部の温度が上昇することを抑制しつつ、カメラ１００内で発生した熱をカメラ１００の外部へと逃がすことができる。したがって、カメラ１００を構成する各部の電子部品が発熱によって損傷することを防止することができる。
【００５１】
次に、電池８が電池収納室１０の装着位置に挿入された状態について図６を参照して説明する。図６は、本発明を実施する撮像装置の実施形態であるカメラ１００の電池ロックレバー１１周辺の断面図である。図６（ｂ）は、図６（ａ）に図示したカメラ１００のＣ−Ｃ′断面を示す断面図である。
【００５２】
電池８の挿抜を円滑におこなうために、電池収納室１０は、電池８の大きさに対してある程度の余裕を持たせた空間として設定されている。図６（ｂ）に図示するように、電池８を電池収納室１０の装着位置に挿入すると、電池ロックレバー１１は電池８をマウント保持部１４側（図６（ｂ）に図示する矢印の方向）に付勢する。この状態で、電池ロックレバー１１によって付勢された電池８はマウント保持部１４に接触する。この構成によって、ユーザが電池８を挿抜する際の操作性を損なうことなく、電池８で発生した熱をマウント保持部１４に効率的に伝達させることができる。
【００５３】
次に、カメラ１００の厚み方向における、マウント保持部１４と電池８の配置について図７を参照して説明する。図７は、本発明を実施した撮像装置の実施形態であるカメラ１００の要部正面図である。なお、説明のために、図７ではカメラ１００の外装および、電池収納用部材１０ａを不図示としている。
【００５４】
図７に図示する斜線部１８は、カメラ１００の厚み方向において、レンズマウント７と電池８とが重畳する部分を示している。なお、カメラ１００の厚み方向において、マウント保持部１４と電池８とが重畳する部分も斜線部１８と略同一の領域である。すなわち、マウント保持部１４において斜線部１８と略同一の部分が、電池収納室１０の一部を形成する部分である。
【００５５】
以上説明したように、本実施形態のマウント保持部１４は、一部が電池収納室１０の一部を形成しているため、カメラ１００の厚み方向において、マウント保持部１４およびレンズマウント７と電池８とを重畳して配置することができる。この構成によって、カメラ１００を小型化することができる。
【００５６】
図７に図示するように、ビス座１９は、斜線部１８と重ならない位置に設けられている。また、図７に図示するように、レンズロックピン２０は、斜線部１８と重ならない位置に設けられている。さらに、図７に図示するように、電気接点２１は、斜線部１８と重ならない位置に設けられている。以下、この詳細について説明する。
【００５７】
撮像用のレンズをカメラ１００から取り外す場合は、カメラ１００の厚み方向において、レンズロックピン２０の突出部をマウント保持部１４が設けられている位置まで降下（退避）させる必要がある。したがって、カメラ１００の厚み方向において、レンズロックピン２０の突出部を降下（退避）させるための空間（第１の空間と称す）が必要である。
【００５８】
また、レンズマウント７をマウント保持部１４によって保持するために、ビスをビス座１９に締着する必要がある。したがって、カメラ１００の厚み方向において、ビスをビス座に締着するための空間（第２の空間と称す）が必要である。
【００５９】
また、撮像用の交換レンズから取得した情報をシステム制御部に出力するために、電気接点２１とメイン基板１７とをフレキシブル基板２２によって接続する必要がある。したがって、カメラ１００の厚み方向において、電気接点２１の直下にフレキシブル基板２２を配設（収納）するための空間（第３の空間と称す）が必要である。
【００６０】
そこで、カメラ１００の厚み方向において、図７に斜線部１８と重畳しない位置に、ビス座１９、レンズロックピン２０および電気接点２１を設ける。カメラ１００の厚み方向において、上述した第１〜３の空間は電池８の厚みよりも小さい。したがって、カメラ１００の厚み方向において、電池８と重畳しない位置にビス座１９、レンズロックピン２０、電気接点２１を設けることで、カメラ１００を薄型化することができる。例えば、ビス座１９、レンズロックピン２０、電気接点２１を斜線部１８と重ならない位置に設ける場合の方が、これらの部分を斜線部１８と重なる位置に設ける場合よりも、カメラ１００を薄型化することができる。
【００６１】
以上説明したように、本実施形態のカメラ１００は、電池８を収納する電池収納室１０が、電池収納用部材１０ａとマウント保持部１４の一部によって形成されている。そして、マウント保持部１４を成形する部材の熱伝導率κ１は、電池収納用部材１０ａの熱伝導率κ２よりも大きい。この構成によって、電池８で発生した熱は、電池収納用部材１０ａよりもマウント保持部１４に積極的に伝達される。マウント保持部１４に伝達された熱は、マウント保持部１４を介してカメラ１００の全体に分散される。そして。カメラ１００の全体に分散された熱は、カメラ１００の外装部分を介して外部に逃がすことができる。したがって、本実施形態のカメラ１００は、外装部分の一部の温度が上昇することを抑制しつつ、電池８で発生した熱をカメラ１００の外部へと逃がすことができる。
【００６２】
また、本実施形態のカメラ１００は、電池８以外の発熱部とマウント保持部１４とが、それぞれ接触している構成である。そして、当該発熱部を成形する部材の熱伝導率はマウント保持部１４を成形する部材の熱伝導率よりも小さい。この構成によって、電池８以外の発熱部で発生した熱は、積極的にマウント保持部１４に伝達される。したがって、本実施形態のカメラ１００は、外装部分の一部の温度が上昇することを抑制しつつ、カメラ１００内部の発熱部で発生した熱をカメラ１００の外部へと逃がすことができる。
【００６３】
さらに、本実施形態のカメラ１００は、カメラ１００の厚み方向において、電池８とマウント保持部１４およびレンズマウント７とが互いに重畳するように配置されている。また、本実施形態のカメラ１００は、ビス座１９、レンズロックピン２０および電気接点２１は、カメラ１００の厚み方向において、電池８と重畳しないように設けられている。この構成によって、カメラ１００を小型化および薄型化することができる。
【００６４】
以上、本発明の好ましい実施形態について説明したが、本発明はこれらの実施形態に限定されず、その要旨の範囲内で種々の変形及び変更が可能である。前述した実施形態では、レンズマウント７とマウント保持部１４とがそれぞれ別々に設けられているような構成であったが、これに限定されるものではない。例えば、カメラ１００としては、レンズマウント７とマウント保持部１４とが一体的に形成されているようなレンズマウント部を有するような構成であってもよい。
【００６５】
この場合、電池収納室１０は、電池収納用部材１０ａと前述したレンズマウント部の一部によって形成される空間である。そして、レンズマウント部を成形する部材の熱伝導率は、電池収納用部材１０ａの熱伝導率よりも大きい。この構成であっても、カメラ１００の外装部分の一部の温度が上昇することを防ぎ、電池８の発生した熱をカメラ１００の外部に逃がすことができる。
【００６６】
また、前述した実施形態では、カメラ１００の厚み方向において、電池８とレンズマウント７およびマウント保持部１４とが互いに重畳するように配置されるような構成であったが、これに限定されるものではない。少なくとも、マウント保持部１４を成形する部材の一部分が電池収納室１０を形成するような構成であれば、電池８で発生した熱をマウント保持部１４に積極的に伝達することができる。例えば、カメラ１００の厚み方向とは異なる方向の電池収納室１０の内壁が、マウント保持部１４を成形する部材の一部によって形成されているような構成であってもよい。
【００６７】
さらに、前述した実施形態では、電池収納室１０に電池８を挿抜できる構成であったが、これに限定されるものではない。例えば、電池８がカメラ１００の電池収納室１０から抜くことができないような構成であってもよい。電池収納室１０は、マウント保持部１４を成形する部材と電池収納用部材１０ａによって形成されていれば、上述したような構成であっても、電池８で発生した熱をカメラ１００の外部に逃がすことができる。
【符号の説明】
【００６８】
７  レンズマウント（レンズマウント部、レンズ取り付け部）
８  電池
１０  電池収納室（電池収納用の空間）
１０ａ  電池収納用部材
１４  マウント保持部（レンズマウント部、保持部）
１００  デジタルカメラ（撮像装置）
【図１】
0006463030.tif 000002
【図２】
0006463030.tif 000003
【図３】
0006463030.tif 000004
【図４】
0006463030.tif 000005
【図５】
0006463030.tif 000006
【図６】
0006463030.tif 000007
【図７】
0006463030.tif 000008